(57)【要約】【課題】サイドモールを器具本体の側面に簡単且つ確実に取り付けることができるビルトインコンロを提供する。【解決手段】作業者は、サイドモール３１を器具本体２の高さ位置よりもやや高い位置で、取付部３５の取付面を器具本体２の右側面２Ｂに押し当てながら、サイドモール３１を後方にスライドさせる。すると、延設部５１の先端部５１Ｂ側が挿入部２４のスリットに前方から挿入され、突出部２５を乗り上げる。これによって、延設部５１が右側面２Ｂから離間する方向に弾性変形させられるので、サイドモール３１が右側面に付勢された状態で保持される。その状態でサイドモール３１を下方にずらすことによって、突起２１，２２に対して係止部６１，６２のフック７２，８２を上方から各々係止させることができる。これにより、作業者は右側面２Ｂに対してサイドモール３１を簡単かつ確実に取り付けることができる。【選択図】図８
2014145545.tif 000002
【特許請求の範囲】
【請求項１】
キッチンカウンタの上面に形成された取付開口に器具本体を上方から落とし込み、前記器具本体の前面を前記キッチンカウンタの前面に形成された開口部に配置した後で、前記器具本体の左右の両側面にサイドモールを夫々取り付けることによって、前記側面と前記開口部の左右両縁部との間に夫々生じる隙間を塞ぐビルトインコンロにおいて、
前記側面は、
前記器具本体の上下方向に互いに離間した位置に各々設けられ、前記側面から離間する方向に各々突出する一対の突起と、
前記一対の突起の間に設けられ、前記器具本体の前後方向に貫通するスリットを有する挿入部と
を備え、
前記サイドモールは、
前記隙間を塞ぐ閉塞部と、
前記側面に当接させる取付面を有する取付部と、
前記取付部の前記器具本体の後方側の一端部の上部と下部から前記後方に各々延設され、自身の延設方向の先端側の下部に、前記突起に対して係止可能なフックを夫々有する一対の係止部と、
前記一端部における前記一対の係止部の間の中間位置から前記後方に延設され、前記スリットに挿入される延設部と
を備えたことを特徴とするビルトインコンロ。
【請求項２】
前記挿入部は、
前記一対の突起の間の中間位置よりも上方にずれた位置に設けられたことを特徴とする請求項１に記載のビルトインコンロ。
【請求項３】
前記サイドモールの前記取付面を前記側面に当接させつつ前記サイドモールを前記後方に移動させた場合において、前記延設部の先端が前記挿入部に到達した時は、前記器具本体の前後方向において、前記一対の係止部の前記先端は、前記一対の突起よりも前方に位置していることを特徴とする請求項１又は２に記載のビルトインコンロ。
【請求項４】
前記延設部の前記先端側が前記スリットに挿入された場合に、前記サイドモールの前記後方への移動を規制する規制手段を備え、
前記規制手段によって前記サイドモールの移動が規制された状態では、前記一対の係止部が夫々有する前記フックの下方に、前記一対の突起が夫々位置していることを特徴とする請求項３に記載のビルトインコンロ。
【請求項５】
前記延設部は、
前記スリットに挿入される先端側を除く部分において、前記延設部の延設方向に直交する幅方向長さが前記先端側の幅方向長さよりも前記幅方向中央側に短く形成された首部を備えたことを特徴とする請求項１から４の何れかに記載のビルトインコンロ。
【請求項６】
前記延設部の先端の角部はテーパ状に形成されていることを特徴とする請求項１から５のいずれかに記載のビルトインコンロ。
【請求項７】
前記キッチンカウンタの前記取付開口に前記器具本体を上方から落とし込み、前記器具本体の前記前面を前記キッチンカウンタの前記開口部に配置した状態を前記キッチンカウンタの前方から見た場合に、
前記開口部の上縁部と前記器具本体の前記前面の上端部との間に所定の隙間が形成されていることを特徴とする請求項１から６の何れかに記載のビルトインコンロ。
【請求項８】
前記係止部は、前記フックを前記先端側の上部と下部に夫々備え、
前記左右の両側面に夫々取り付ける前記サイドモールは同一部品であることを特徴とする請求項１から７の何れかに記載のビルトインコンロ。
【請求項９】
前記係止部の先端の角部はテーパ状に形成されていることを特徴とする請求項１から８の何れかに記載のビルトインコンロ。
【請求項１０】
前記側面は、前記挿入部の前記後方に設けられ、前記側面から離間する方向に突出する突出部を備え、
前記延設部の先端側が前記スリットに対して前記器具本体の前方から挿入され、さらに前記突出部を乗り上げることによって、前記延設部が前記離間する方向に弾性変形させられ、前記サイドモールが前記側面に付勢されることを特徴とする請求項１から９の何れかに記載のビルトインコンロ。
【請求項１１】
前記サイドモールは樹脂部材又はアルミ部材で形成したことを特徴とする請求項１０に記載のビルトインコンロ。
【発明の詳細な説明】
【技術分野】
【０００１】
本発明は、キッチンカウンタに装着されるビルトインコンロに関する。
【背景技術】
【０００２】
従来、ビルトインコンロは、器具本体をキッチンカウンタ上面に形成された取付開口に落とし込み、器具本体の上部から水平方向に延びるフランジ部を取付開口の周縁に係止させることによって、キッチンカウンタ前面に形成された開口部から、器具本体の前面が露出した状態で取り付けられる。この状態では、器具本体の左右両側面と開口部の左右両端縁との間には隙間が存在するので、正面から見たときの見栄えが悪い。
【０００３】
そこで、例えば、器具本体の設置後に、隙間に対して正面より樹脂製のエンドピース（サイドモール）を挿入し、器具本体の左右両側面に夫々取り付けることによって、隙間を隠すことができるエンドピース装着機構が知られている（例えば、特許文献１参照）。この装着機構においては、施工業者はエンドピースを器具本体の側板に押し付けながら隙間に挿入する。すると、エンドピースは保持手段を介して器具本体の側板に保持される。そして、エンドピースが定位置までさらに挿入されると、エンドピースの背面側に設けられた係止突起が器具本体の側板に設けられた係止孔に係合する。これにより、エンドピースの姿勢が保持される。なお、エンドピースを側板から取り外す場合は、解除工具を用いて係止突起を弾性変形させることによって、係止突起を係止孔から離脱させる。
【先行技術文献】
【特許文献】
【０００４】
【特許文献１】特開２００４−１００７７５号公報
【発明の概要】
【発明が解決しようとする課題】
【０００５】
しかしながら、特許文献１に記載のエンドピース装着機構では、エンドピースを正面から隙間に対して挿入して取り付けるので、エンドピースの背面側に設けられた係止突起と、側板に設けられた係止孔との双方がエンドピースの前面で隠れてしまい、係止孔に対する係止突起の位置合わせが困難であった。さらに、係止突起が係止孔に係合したかどうかが分かりづらいため、係止突起が係止孔に係合しない状態で、エンドピースが保持手段を介して器具本体の側板に保持されてしまった場合、施工業者がそれに気づかず、器具本体の側板に対してエンドピースが傾いた状態で取り付いてしまう可能性もあった。また、施工業者は、ビルトインコンロの取付作業中に、エンドピースを側板に付けたり外したりすることがあるが、その都度、解除工具を用いなければならず、非常に面倒であった。
【０００６】
本発明の目的は、サイドモールを器具本体の側面に簡単且つ確実に取り付けることができるビルトインコンロを提供することである。
【課題を解決するための手段】
【０００７】
本発明の請求項１に係るビルトインコンロは、キッチンカウンタの上面に形成された取付開口に器具本体を上方から落とし込み、前記器具本体の前面を前記キッチンカウンタの前面に形成された開口部に配置した後で、前記器具本体の左右の両側面にサイドモールを夫々取り付けることによって、前記側面と前記開口部の左右両縁部との間に夫々生じる隙間を塞ぐビルトインコンロにおいて、前記側面は、前記器具本体の上下方向に互いに離間した位置に各々設けられ、前記側面から離間する方向に各々突出する一対の突起と、前記一対の突起の間に設けられ、前記器具本体の前後方向に貫通するスリットを有する挿入部とを備え、前記サイドモールは、前記隙間を塞ぐ閉塞部と、前記側面に当接させる取付面を有する取付部と、前記取付部の前記器具本体の後方側の一端部の上部と下部から前記後方に各々延設され、自身の延設方向の先端側の下部に、前記突起に対して係止可能なフックを夫々有する一対の係止部と、前記一端部における前記一対の係止部の間の中間位置から前記後方に延設され、前記スリットに挿入される延設部とを備えたことを特徴とする。
【０００８】
また、請求項２に係る発明のビルトインコンロは、請求項１に記載の発明の構成に加え、前記挿入部は、前記一対の突起の間の中間位置よりも上方にずれた位置に設けられたことを特徴とする。
【０００９】
また、請求項３に係る発明のビルトインコンロは、請求項１又は２に記載の発明の構成に加え、前記サイドモールの前記取付面を前記側面に当接させつつ前記サイドモールを前記後方に移動させた場合において、前記延設部の先端が前記挿入部に到達した時は、前記器具本体の前後方向において、前記一対の係止部の前記先端は、前記一対の突起よりも前方に位置していることを特徴とする。
【００１０】
また、請求項４に係る発明のビルトインコンロは、請求項３に記載の発明の構成に加え、前記延設部の前記先端側が前記スリットに挿入された場合に、前記サイドモールの前記後方への移動を規制する規制手段を備え、前記規制手段によって前記サイドモールの移動が規制された状態では、前記一対の係止部が夫々有する前記フックの下方に、前記一対の突起が夫々位置していることを特徴とする。
【００１１】
また、請求項５に係る発明のビルトインコンロは、請求項１から４の何れかに記載の発明の構成に加え、前記延設部は、前記スリットに挿入される先端側を除く部分において、前記延設部の延設方向に直交する幅方向長さが前記先端側の幅方向長さよりも前記幅方向中央側に短く形成された首部を備えたことを特徴とする。
【００１２】
また、請求項６に係る発明のビルトインコンロは、請求項１から５の何れかに記載の発明の構成に加え、前記延設部の先端の角部はテーパ状に形成されていることを特徴とする。
【００１３】
また、請求項７に係る発明のビルトインコンロは、請求項１から６の何れかに記載の発明の構成に加え、前記キッチンカウンタの前記取付開口に前記器具本体を上方から落とし込み、前記器具本体の前記前面を前記キッチンカウンタの前記開口部に配置した状態を前記キッチンカウンタの前方から見た場合に、前記開口部の上縁部と前記器具本体の前記前面の上端部との間に所定の隙間が形成されていることを特徴とする。
【００１４】
また、請求項８に係る発明のビルトインコンロは、請求項１から７の何れかに記載の発明の構成に加え、前記係止部は、前記フックを前記先端側の上部と下部に夫々備え、前記左右の両側面に夫々取り付ける前記サイドモールは同一部品であることを特徴とする。
【００１５】
また、請求項９に係る発明のビルトインコンロは、請求項１から８の何れかに記載の発明の構成に加え、前記係止部の先端の角部はテーパ状に形成されていることを特徴とする。
【００１６】
また、請求項１０に係る発明のビルトインコンロは、請求項１から９の何れかに記載の発明の構成に加え、前記側面は、前記挿入部の前記後方に設けられ、前記側面から離間する方向に突出する突出部を備え、前記延設部の先端側が前記スリットに対して前記器具本体の前方から挿入され、さらに前記突出部を乗り上げることによって、前記延設部が前記離間する方向に弾性変形させられ、前記サイドモールが前記側面に付勢されることを特徴とする。
【００１７】
また、請求項１１に係る発明のビルトインコンロは、請求項１０に記載の発明の構成に加え、前記サイドモールは樹脂部材又はアルミ部材で形成したことを特徴とする。
【発明の効果】
【００１８】
請求項１に係る発明のビルトインコンロでは、作業者は、サイドモールを器具本体の側面の取付位置よりも高い位置で、取付面を側面に押し当てながら、サイドモールを後方にスライドさせる。すると、延設部が挿入部のスリットに挿入されるので、その状態でサイドモールを下方にずらす。これにより、一対の突起に対して一対の係止部の下側に夫々設けられたフックが上方から係止する。器具本体の側面における取付部の上部と下部の位置が夫々決まる。よって、サイドモールを器具本体の側面に対して傾くことなく正常な直立姿勢で取り付けることができる。これとは逆に、サイドモールを側面から取り外す場合、サイドモールを上方にずらしてフックの突起に対する係止を解除し、サイドモールを前方に移動させることによって、延設部がスリットから引き抜かれる。よって、作業者はサイドモールを側面から簡単に取り外すことができる。
【００１９】
また、請求項２に係る発明のビルトインコンロでは、請求項１に記載の発明の効果に加え、挿入部は、一対の突起の間の中間位置よりも上方にずれた位置に設けられているので、延設部をスリットに挿入する際に、一対の係止部を側面に設けられた一対の突起の上方を通過させることができる。これにより、係止部が突起に衝突しないので、延設部をスリットに対して簡単に挿入できる。
【００２０】
また、請求項３に係る発明のビルトインコンロでは、請求項１又は２に記載の発明の効果に加え、サイドモールを後方にスライドさせた場合、一対の係止部が一対の突起に達する前に、延設片をスリットに挿入させることができる。これにより、サイドモールが後方にガイドされるので、サイドモールを器具本体の側面に容易に取り付けることができる。
【００２１】
また、請求項４に係る発明のビルトインコンロでは、請求項３に記載の発明の効果に加え、延設部の先端側がスリットに挿入された場合、規制手段によってサイドモールの移動が規制されるので、サイドモールを押し込めない状態となる。この状態から下方にそのままずらすだけで、一対の係止部の各フックを一対の突起に対して容易に夫々係止させることができる。
【００２２】
また、請求項５に係る発明のビルトインコンロでは、請求項１から４の何れかに記載の発明の効果に加え、作業者が延設部をスリットに挿入させていくと、延設部の先端側がスリットを通過し且つ首部がスリットに達した時に、サイドモール全体が下方にずれる。これにより、一対の突起に対して一対の係止部の各フックを上方から各々係止させることができる。従って、サイドモールを器具本体の側面に簡単に取り付けることができる。
【００２３】
また、請求項６に係る発明のビルトインコンロでは、請求項１から５の何れかに記載の発明の効果に加え、延設部の先端の角部がスリットの下縁部に衝突した場合、テーパ状の角部がスリットの下縁部を乗り越えるので、スリットに対して延設部を挿入させることができる。
【００２４】
また、請求項７に係る発明のビルトインコンロでは、請求項１から６の何れかに記載の発明の効果に加え、開口部の上縁部と器具本体の前面の上端部との間に形成された所定の隙間を利用することによって、サイドモールを器具本体の側面の取付位置よりも高い位置で、取付面を器具本体の側面に押し当てながら、サイドモールを後方にスライドさせることができる。
【００２５】
また、請求項８に係る発明のビルトインコンロでは、請求項１から７の何れかに記載の発明の効果に加え、係止部はフックを先端側の上部と下部に夫々備えているので、左側面又は右側面に応じて、サイドモールの上下の向きを変えて取り付けることができる。各側面に取り付けるサイドモールは同一部品であるので、量産し易い上に、取り付け間違いを防止できる。
【００２６】
また、請求項９に係る発明のビルトインコンロでは、請求項１から８の何れかに記載の発明の効果に加え、係止部の先端の角部が突起に衝突した場合、テーパ状の角部に沿って突起が摺動する。これにより、係止部は突起を乗り越え、突起に対して上方からフックを係止させることができる。
【００２７】
また、請求項１０に係る発明のビルトインコンロでは、請求項１から９の何れかに記載の発明の効果に加え、作業者が延設部をスリットに挿入することによって、延設部の先端側が突出部を乗り上げて弾性変形する。これにより、サイドモールを器具本体の側面に付勢した状態で保持できる。また、サイドモールを側面に対して無理の無い力で保持できるので、着脱を容易にできる。
【００２８】
また、請求項１１に係る発明のビルトインコンロでは、請求項１０に記載の発明の効果に加え、サイドモールは樹脂の撓みを利用して係止部と被係止部とを互いに係合させる強固な固定ではなく、挿入部と突出部で延設部を保持するものであるから、樹脂の他にも、アルミ部材で形成することが可能である。
【図面の簡単な説明】
【００２９】
【図１】キッチンカウンタ１０１に装着されたコンロ１の正面図である。
【図２】キッチンカウンタ１０１に装着されたコンロ１の右側面図である。
【図３】サイドモール３１を取り外した状態のコンロ１の右側面図である。
【図４】器具本体２の右側面２Ｂに取り付けられたサイドモール３１周辺を右斜め後方から見上げたときの部分拡大斜視図である。
【図５】サイドモール３１の斜視図である。
【図６】サイドモール３１の取付方法を示す図である。
【図７】サイドモール３１の取付方法を示す図である。
【図８】サイドモール３１の取付方法を示す図である。
【図９】図７に示すＩ−Ｉ線矢視方向断面図である。
【発明を実施するための形態】
【００３０】
以下、本発明の一実施形態であるコンロ１について、図面を参照して説明する。図１に示すように、コンロ１は、図１に示すキッチンカウンタ１０１に装着される「ビルトインコンロ」である。
【００３１】
図１，図２を参照し、コンロ１の構造について説明する。コンロ１は、器具本体２と天板３を備える。器具本体２は略直方体状に形成されている。天板３は平面視長方形状に形成され、器具本体２の上面に固定されている。天板３の右前側には右バーナ５、天板３の左前側には左バーナ７、右バーナ５と左バーナ７とに挟まれる略中央の奥側にはとろ火用の中バーナ６が各々設けられている。天板３の後端側には排気口（図示略）が設けられ、器具本体２内に設けられたグリル庫（図示略）内と連通する。
【００３２】
器具本体２は前面側に前方突出部４を備える。前方突出部４は前方に直方体状に突出した部分である（図２参照）。図１に示すように、前方突出部４の前面４Ａの中央にはグリル開口８が設けられている。グリル開口８はグリル庫と連通する。グリル開口８にはグリル扉９が前方に引き出し可能に設けられている。グリル扉９の上半分にはグリル窓９Ａが設けられている。グリル窓９Ａの下方には把手９Ｂが設けられている。把手９Ｂでグリル扉９を前方に引き出すと、グリル扉９の裏面下部に連結した受け皿（図示略）と、該受け皿に載置された焼き網（図示略）とを同時に取り出すことができる。
【００３３】
グリル開口８の右側には、点火スイッチ１１，１２が各々設けられている。点火スイッチ１１は右バーナ５を点火／消火を行う為に押下される。点火スイッチ１２はグリル庫内のグリルバーナ（図示略）を点火／消火を行う為に押下される。グリル開口８の左側には、点火スイッチ１３，１４が各々設けられている。点火スイッチ１３は中バーナ６を点火／消火を行う為に押下される。点火スイッチ１４は左バーナ７を点火／消火を行う為に押下される。
【００３４】
点火スイッチ１１，１２の下側には、電池ボックス１６が設けられている。電池ボックス１６はコンロ１の電源を供給する乾電池を格納する。点火スイッチ１３，１４の下側には、操作パネル１７が回動可能に設けられている。操作パネル１７は未使用時には器具本体２内に収納される。使用時には収納状態の操作パネル１７を押下する。すると、操作パネル１７は器具本体２の外側に回動されて操作可能となる。
【００３５】
キッチンカウンタ１０１は、上面１０１Ａと前面１０１Ｂを備え、内部に空洞部１０５を備える。図２に示すように、上面１０１Ａには平面視長方形状の取付開口１０２が設けられている。前面１０１Ｂには正面視長方形状の開口部１０３が設けられている。取付開口１０２と開口部１０３は、器具本体２の左右方向において互いに同一位置に配置されている。取付開口１０２と開口部１０３は空洞部１０５を介して互いに連通している。
【００３６】
図２に示すように、上記構成のコンロ１は、キッチンカウンタ１０１の上面１０１Ａに設けられた取付開口１０２に、器具本体２を上方から落とし込み、器具本体２の上部外周に設けられた係合フランジ部（図示略）を取付開口１０２の周縁部に係止させている。さらに、器具本体２の前方突出部４は、キッチンカウンタ１０１の空洞部１０５の内側から、キッチンカウンタ１０１の開口部１０３に挿入されている。器具本体２の前方突出部４の前面４Ａ（以下、「器具本体２の前面４Ａ」と呼ぶ）は、キッチンカウンタ１０１の前面１０１Ｂと略面一である。キッチンカウンタ１０１を前方から見た場合に、開口部１０３の上端部と、器具本体２の前面４Ａの上端部との間には、所定の隙間Ｑが形成されている。
【００３７】
そして、図１及び図２に示すように、器具本体２の右側面２Ｂの前端側には、樹脂製のサイドモール３１が取り付けられている。サイドモール３１は、開口部１０３の右端部と、器具本体２の前面４Ａの右端部との間に生じる隙間を閉塞する。器具本体２の左側面２Ｃの前端側には、樹脂製のサイドモール３２が取り付けられている。サイドモール３２は、開口部１０３の左端部と、器具本体２の前面４Ａの左端部との間に生じる隙間を閉塞する。これらによって、キッチンカウンタ１０１の前面１０１Ｂにおける器具本体２の前面４Ａの左右両側の見栄えが向上する。
【００３８】
図３，図４を参照し、器具本体２の右側面２Ｂに設けられたサイドモール３１の取付構造について説明する。前方突出部４の右側面２Ｂには、一対の突起２１，２２と、挿入部２４、突出部２５が設けられている。突起２１は右側面２Ｂの上部、突起２２は右側面２Ｂの下部に各々設けられ、右側面２Ｂにおける前後方向の位置は互いに同一である。突起２１，２２は、何れも右側面２Ｂを構成する金属板を右側方に台形状に切り起こして形成されている。挿入部２４と突出部２５は、前方突出部４の右側面２Ｂの高さ方向の中間位置よりも上方にずれた位置であって、さらに突起２１，２２の間の中間位置よりも上方にずれた位置に夫々設けられている。なお、本実施形態では、右側面２Ｂの高さ方向の中間位置と、突起２１，２２の間の中間位置とは同一位置である。
【００３９】
挿入部２４は、突起２１，２２の前後方向の位置よりもやや前方に設けられている。挿入部２４は、右側面２Ｂを構成する金属板を右側方に切り起こし、内側にスリット２６を形成している。スリット２６は器具本体２の前後方向に貫通し、且つ上下方向に長い細孔である。
【００４０】
突出部２５は、挿入部２４の後方で且つ突起２１，２２の前後方向の位置と同一位置に設けられている。突出部２５は、器具本体２を右側方から視た場合に、所定幅を有し且つ上下方向に延出する直線状に形成され、右側面２Ｂを構成する金属板が内側から凸状に打ち出されることによって、右側方に台形状に突出して形成されている。突出部２５の上下方向長さは、挿入部２４の上下方向長さと略同一である。突出部２５は、挿入部２４に対してやや上方にずれた位置に設けられている。
【００４１】
なお、図示しないが、前方突出部４の左側面２Ｃにも、右側面２Ｂに設けられた一対の突起２１，２２、挿入部２４、突出部２５と同じ構造が設けられ、サイドモール３２（図１参照）を取り付けることができる。
【００４２】
図５を参照し、サイドモール３１の構造について詳細に説明する。図５の左斜め下方、右斜め上方、上方、下方、紙面手前側の左上方向、紙面奥行き側の右下方向を、夫々、サイドモール３１の前方、後方、上方、下方、右方、左方とする。なお、これらの方向は、サイドモール３１を器具本体２の右側面２Ｂに取り付けた状態における器具本体２の方向と同一である。なお、後述するが、サイドモール３２は、サイドモール３１を上下反転したものと同一形状であるので説明を省略する。
【００４３】
サイドモール３１は樹脂成形品であり、取付部３５、閉塞部３６、延設部５１、一対の係止部６１，６２等を備える。サイドモール３１の上下方向の長さは、器具本体２の右側面２Ｂ及び左側面２Ｃの高さと同一である。取付部３５は、図１に示す器具本体２の右側面２Ｂに取り付ける部分である。閉塞部３６は、図１に示す開口部１０３の右端部と、器具本体２の前面４Ａの右端部との間に生じる隙間を閉塞する部分である。延設部５１は、図１に示す器具本体２の右側面２Ｂに設けられた挿入部２４と突出部２５によって保持される部分である。一対の係止部６１，６２は、図２に示す器具本体２の右側面２Ｂに設けられた突起２１，２２に係止する部分である。
【００４４】
先ず、取付部３５の形状について説明する。図５に示すように、取付部３５は略長方形の板状に形成され、上端部４１、下端部４２、前端部（図示略）、後端部４３、取付面３８、外面３９等を備える。前端部は、サイドモール３１を器具本体２の右側面２Ｂに取り付けた状態での器具本体２の前方に向けられる一端部である。後端部４３は、サイドモール３１を器具本体２の右側面２Ｂに取り付けた状態での器具本体２の後方に向けられる一端部である。取付面３８は、器具本体２の右側面２Ｂに押し当てる面である。外面３９は、取付面３８とは反対側で且つ器具本体２の右側方に露出する面である。
【００４５】
後端部４３の長手方向中間位置には、前方に向かって略長方形状に切り欠いた凹部４４が設けられている。凹部４４は、取付部３５に、上側の側部４５、下側の側部４６、凹部４４の深さ方向の最奥側の底部４７を夫々形成する。側部４５には上方に向かって長方形状に小さく切り欠いた凹部５９が設けられている。側部４６には下方に向かって長方形状に小さく切り欠いた凹部６０が設けられている。凹部５９，６０は、器具本体２の右側面２Ｂに設けられた挿入部２４との干渉を避ける為の部位である。
【００４６】
次に、閉塞部３６の形状について説明する。図５に示すように、閉塞部３６は、取付部３５の前端部から右側方に張り出してさらに後方に反り返る湾曲形状を有し、さらにその上下の各開口が夫々塞がれたカバー状に形成されている。閉塞部３６の右側方に張り出す長さは、開口部１０３の右端部と、器具本体２の前面４Ａの右端部との間に生じる隙間に応じて調整するとよい。
【００４７】
次に、延設部５１の形状について説明する。図５に示すように、延設部５１は、後端部４３に設けられた凹部４４の底部４７に設けられている。延設部５１は、首部５１Ａと先端部５１Ｂを備え、全体がＴ字の板状に形成されている。首部５１Ａは、底部４７の長手方向中央から上下に隙間を空けて後方に向けて直線状に延設されている。先端部５１Ｂは、首部５１Ａの延設方向先端部に設けられ、首部５１Ａの長手方向に直交する幅方向長さよりも広い幅方向長さを有する長方形状に形成されている。先端部５１Ｂと首部５１Ａが互いに連結する上下部分には、段部５２，５３が各々形成されている。先端部５１Ｂの先端側の上下の角部５４，５５は、何れもテーパ状に形成されている。後述するが、先端部５１Ｂの下端部５６は、スリット２６の下縁部に沿って摺動させる部分として機能する。
【００４８】
次に、係止部６１，６２の形状について説明する。図５に示すように、係止部６１は、後端部４３の上側の位置に設けられている。係止部６１は、首部６１Ａと先端部６１Ｂを備え、全体がＴ字の板状に形成されている。首部６１Ａは、後端部４３の上側の位置から後方に向けて直線状に延設されている。先端部６１Ｂは、首部６１Ａの延設方向先端部に設けられ、首部６１Ａの長手方向に直交する幅方向長さよりも長い幅方向長さを有する長方形状に形成されている。先端部６１Ｂの先端側の上下の角部７３，７４は何れもテーパ状に形成されている。先端部６１Ｂと首部６１Ａが互いに連結する上下の段差部分には、フック７１，７２が各々形成されている。
【００４９】
係止部６２は、後端部４３の下側の位置に設けられている。係止部６２は、首部６２Ａと先端部６２Ｂを備え、全体がＴ字の板状に形成されている。首部６２Ａは、後端部４３の下側の位置から後方に向けて直線状に延設されている。先端部６２Ｂは、首部６２Ａの延設方向先端部に設けられ、首部６２Ａの長手方向に直交する幅方向長さよりも長い幅方向長さを有する長方形状に形成されている。先端部６２Ｂの先端側の上下の角部８３，８４は何れもテーパ状に形成されている。先端部６２Ｂと首部６２Ａが互いに連結する上下の段差部分には、フック８１，８２が各々形成されている。
【００５０】
なお、上記構造を備えるサイドモール３１において、延設部５１は、係止部６１，６２の間の中間位置に配置されている。さらに、延設部５１の先端と、係止部６１の先端と、係止部６２の先端とは、サイドモール３１の前後方向において互いに同一位置である。つまり、サイドモール３１は、延設部５１の中心線を基準として上下対称形状である。よって、サイドモール３１を上下反転させることによって、サイドモール３２としても使用できる。そして、サイドモール３１，３２は同一部品であるので、取り付け間違いを起こす事も無い。さらに、サイドモール３１，３２は同一部品として量産できるので、金型等のコスト削減を図るともできる。
【００５１】
図１，図６〜図９を参照し、サイドモール３１の器具本体２の右側面２Ｂへの取り付け方法について説明する。作業者は、サイドモール３１を器具本体２に取り付ける前に、図１に示すように、器具本体２をキッチンカウンタ１０１の取付開口１０２に落とし込んで装着しておく。そして、開口部１０３の右端部と、器具本体２の前面４Ａの右端部との間に生じた隙間に対して、器具本体２の前方からサイドモール３１の後端部４３側を向けた状態で、以下の取付作業を行う。
【００５２】
先ず、図６に示すように、サイドモール３１を器具本体２の高さ位置よりも所定長高い所定位置で、取付面３８を器具本体２の右側面２Ｂに押し当て、後方（図６中矢印Ａ方向）にスライド移動させる。開口部１０３の上端部と、器具本体２の前面４Ａの上端部との間には、所定の隙間Ｑが形成されているので、その隙間Ｑを利用することで、サイドモール３１を所定位置で、取付面３８を器具本体２の右側面２Ｂに押し当てることができる。なお、所定位置は隙間Ｑの高さ以下にするとよい。
【００５３】
サイドモール３１を後方にスライド移動させると、挿入部２４が突起２１，２２よりも前方に設けられているので、先ず、延設部５１の先端部５１Ｂが、挿入部２４のスリット２６に挿入される。上述のように、挿入部２４は、突起２１，２２の間の中間位置よりも上方にずれた位置に設けられているので、延設部５１をスリット２６に挿入する際に、一対の係止部６１，６２を一対の突起２１，２２の上方を夫々通過させることができる。これにより、係止部６１，６２が突起２１，２２に衝突しないので、延設部５１をスリット２６に対して簡単に挿入できる。
【００５４】
ここで、取付開始時のサイドモール３１の高さ位置が所定位置より低かった場合、先端部５１Ｂの下側の角部５５がスリット２６（図４参照）の下縁部に衝突することがある。本実施形態では、角部５５はテーパ状になっているので、角部５５がスリット２６の下縁部を乗り上げることで、先端部５１Ｂは正常な位置に補正される。これにより、先端部５１Ｂをスリット２６に挿入できる。
【００５５】
そして、取付開始時のサイドモール３１の高さ位置が所定位置よりさらに低かった場合、先端部５１Ｂは挿入部２４の上部に衝突してしまう。この場合、サイドモール３１をこれ以上押し込むことができないので、作業者はサイドモール３１の高さ位置が低いことに気づくことができる。そこで、サイドモール３１の高さ位置を現在位置から高くすることによって、先端部５１Ｂを挿入部２４のスリット２６に対して確実に挿入できる。
【００５６】
これとは逆に、取付開始時のサイドモール３１の高さ位置が所定位置より高かった場合、先端部５１Ｂの上側の角部５４がスリット２６の上縁部に衝突することがある。本実施形態では、角部５４もテーパ状になっているので、角部５４がスリット２６の上縁部を摺動することで、先端部５１Ｂの位置が押し下げられ、正常な位置に補正される。これにより、先端部５１Ｂを挿入部２４のスリット２６に挿入できる。
【００５７】
そして、取付開始時のサイドモール３１の高さ位置が所定位置よりさらに高かった場合、先端部５１Ｂは挿入部２４の上部に衝突してしまう。この場合も、サイドモール３１をこれ以上押し込むことができないので、作業者はサイドモール３１の高さ位置が高いことに気づくことができる。そこで、サイドモール３１の高さ位置を現在位置から低くすることによって、先端部５１Ｂを挿入部２４のスリット２６に対して確実に挿入できる。
【００５８】
また、作業者は、サイドモール３１の後方側の構造を器具本体２の後方に向けているので、サイドモール３１の後方側の構造と、右側面２Ｂに設けられた構造が、閉塞部３６によって隠れてしまい見えづらい場合がある。本実施形態では、上述のように、サイドモール３１の高さ位置を、器具本体２よりも高い所定位置で押し当てて後方にスライド移動させれば、そのまま直接に、又は高さ位置を微調整するだけで、延設部５１を挿入部２４のスリット２６に対して簡単かつ確実に挿入できる。従って、サイドモール３１の取付時の作業性を向上できる。
【００５９】
次いで、図７に示すように、先端部５１Ｂはスリット２６を通過後、突出部２５に乗り上げる。このとき、図９に示すように、先端部５１Ｂの取付面３８に対して突出部２５の上面が接触し、首部５１Ａの外面３９に対して挿入部２４の内周面の一部が接触する。延設部５１は平板状であるので、延設部５１は右側面２Ｂから離間する方向に弾性変形させられる。これにより、延設部５１が右側面２Ｂに付勢されるので、サイドモール３１全体が右側面２Ｂに付勢された状態となるで。よって、延設部５１が挿入部２４及び突出部２５に保持される。
【００６０】
なお、この保持構造は、挿入部２４のスリット２６に挿入した延設部５１の先端部５１Ｂを突出部２５に乗り上げさせることによって、平板状の延設部５１を緩やかに撓ませて保持するものであるから、延設部５１を大きく撓ませる必要はない。従って、延設部５１は樹脂のような柔らかな材質でなくても、例えばアルミ部材のような金属材質であってもよい。
【００６１】
ところで、図７に示すように、延設部５１が挿入部２４と突出部２５によって保持されると同時に、サイドモール３１の係止部６１，６２の先端部６１Ｂ、６２Ｂは、器具本体２に設けられた突起２１，２２の夫々の上方を通過する。ここで、取付開始時のサイドモール３１の高さ位置が所定位置より低い場合、係止部６１，６２の下側の角部７４，８４が突起２１，２２に衝突することがある。本実施形態では、角部７４，８４はテーパ状になっているので、角部７４，８４が突起２１，２２を乗り上げることができる。よって、係止部６１，６２の先端部６１Ｂ、６２Ｂは、突起２１，２２の夫々の上方を通過できる。
【００６２】
さらに、器具本体２の挿入部２４は、サイドモール３１の後端部４３に設けられた凹部４４の内側に入り込む。よって、サイドモール３１の後端部４３が挿入部２４の位置に達した後も、サイドモール３１をそのまま後方に移動させることができる。そして、サイドモール３１の後端部４３が突起２１，２２に衝突する。さらに、凹部４４の内側に入り込んだ挿入部２４は、側部４５において凹部５９の前側に形成された段部４８と、側部４６において凹部６０の前側に形成された段部４９とに衝突する。これによって、サイドモール３１の移動が規制され、サイドモール３１の前後方向の位置が決まる。なお、挿入部２４は、凹部４４の内側において凹部５９，６０によって上下を挟まれた位置に配置される。
【００６３】
このとき、図７に示すように、係止部６１，６２のフック７２，７３の下方に、突起２１，２２が各々位置している。よって、作業者は、サイドモール３１の姿勢を保持したまま、その位置からサイドモール３１を下方（図７中矢印Ｂ方向）にずらすだけで、図８に示すように、器具本体２の上側の突起２１に対して、サイドモール３１の係止部６１の下側のフック７２を上方から係止させ、下側の突起２２に対して、サイドモール３１の係止部６２の下側のフック８２を上方から係止させることができる。
【００６４】
また、先端部５１Ｂの下端部５６を、スリット２６の下縁部に沿って摺動させることによって、先端部６１Ｂ、６２Ｂが突起２１，２２の夫々の上方を通過したときに、サイドモール３１は延設部５１の段部５３の高さ分だけ、自動的に下方にずれ落ちるようになっている。よって、係止部６１，６２のフック７２，７３を突起２１，２２に対して上方から容易に係止させることができる。
【００６５】
なお、延設部５１は、挿入部２４及び突出部２５によって弾性変形することによって保持されているが、挿入部２４のスリット２６及び突出部２５は何れも上下方向に延出する直線状であるので、延設部５１を弾性変形した状態のまま下方にずらすことができる。従って、延設部５１を、挿入部２４と突出部２５によって保持させた状態で、サイドモール３１を下方にずらすことができる。
【００６６】
また、挿入部２４は凹部４４の内側において、凹部５９，６０に対応する位置に配置されているので、サイドモール３１を下方にずらした場合、挿入部２４は凹部５９の内側に配置される。これにより、サイドモール３１と挿入部２４が干渉しないので、サイドモール３１を下方にずらすことができる。
【００６７】
そして、係止部６１，６２のフック７２，７３が突起２１，２２に対して上方から夫々係止することによって、サイドモール３１の上部と下部が同時に位置決めされる。サイドモール３１の上端部４１は前方突出部４の上面に、下端部４２は前方突出部４の下面に夫々配置される。こうして、サイドモール３１が右側面２Ｂの取付位置に対して直立姿勢で正確に取り付けられる。従って、作業者は、サイドモール３１を右側面２Ｂに押し当てた状態で、延設部５１をスリット２６に挿入して下方にずらすだけの簡単な作業で、サイドモール３１を右側面２Ｂに簡単かつ正確に取り付けることができる。
【００６８】
そして、上記の取付作業では、サイドモール３１を後方に押し込んでから下方にずらした場合に、フック７２，７３が突起２１，２２に各々係止することによってサイドモール３１はその位置で停止する。それ故、作業者は、フック７２，７３が突起２１，２２に各々係止したことを、手の感覚で直感的に認識できる。従って、作業者は、フック７２，７３が突起２１，２２に係止しないうちに、サイドモール３１の取り付け作業を終えてしまうことがないので、サイドモール３１の取付不良を防止できる。
【００６９】
なお、器具本体２の左側面２Ｃに対しても、サイドモール３２を取り付ける。図１に示すように、サイドモール３１は、開口部１０３の右端部と、器具本体２の前面４Ａの右端部との間に生じる隙間を閉塞する。サイドモール３２は、開口部１０３の左端部と、器具本体２の前面４Ａの左端部との間に生じる隙間を閉塞する。これらによって、キッチンカウンタ１０１の前面１０１Ｂにおける器具本体２の前面４Ａの左右両側の見栄えを向上できる。
【００７０】
また、作業者は、キッチンカウンタ１０１に対する器具本体２の位置の微調整を行う為に、器具本体２の右側面２Ｂ又は左側面２Ｃに既に取り付けたサイドモール３１，３２を取り外す場合がある。この場合、上記の取り付け作業と逆の手順で作業を行えばよい。具体的には、サイドモール３１の位置を上方にずらすことによって、係止部６１，６２の突起２１，２２に対する係止を解除し、そのまま前方に引き出せばよい。上述の通り、延設部５１は挿入部２４に挿入され、その先端部５１Ｂが突出部２５に乗り上げた状態である。よって、サイドモール３１を前方に引き出すことで、先端部５１Ｂは突出部２５の斜面を滑り落ちて、延設部５１は元の形状に復帰するので、延設部５１を挿入部２４のスリット２６から簡単に引き抜くことができる。従って、作業者は、サイドモール３１，３２の着脱を容易に行うことができる。延設部５１が損傷することもないので、サイドモール３１，３２の着脱を繰り返すことも可能である。
【００７１】
以上説明したように、本実施形態のコンロ１は、キッチンカウンタ１０１の上面１０１Ａに形成された取付開口１０２に器具本体２を上方から落とし込んで装着されるビルトインコンロである。器具本体２の前面４Ａは、キッチンカウンタ１０１の前面１０１Ｂに形成された開口部１０３に配置される。器具本体２の左右の両側面２Ｂ，２Ｃには、サイドモール３１，３２が夫々取り付けられる。サイドモール３１，３２は、左右の両側面２Ｂ，２Ｃと開口部１０３の左右両縁部との間に夫々生じる隙間を塞ぐものである。
【００７２】
右側面２Ｂには、一対の突起２１，２２と、挿入部２４、突出部２５が設けられている。挿入部２４は器具本体２の前後方向に貫通するスリット２６を備える。サイドモール３１は、樹脂成形品であり、取付部３５、閉塞部３６、延設部５１、一対の係止部６１，６２等を備える。取付部３５は、器具本体２の右側面２Ｂに取り付ける部分である。閉塞部３６は、開口部１０３の右端部と、器具本体２の前面４Ａの右端部との間に生じる隙間を閉塞する部分である。延設部５１は、器具本体２の右側面２Ｂに設けられた挿入部２４と突出部２５によって保持される部分である。一対の係止部６１，６２は、器具本体２の右側面２Ｂに設けられた突起２１，２２に係止する部分である。
【００７３】
作業者は、サイドモール３１を器具本体２の高さ位置よりも高い所定位置で、取付部３５の取付面３８を器具本体２の右側面２Ｂに押し当てながら、サイドモール３１を後方にスライドさせる。すると、延設部５１の先端部５１Ｂ側がスリット２６に前方から挿入され、突出部２５を乗り上げる。延設部５１は右側面２Ｂから離間する方向に弾性変形させられるので、サイドモール３１が右側面に付勢された状態で保持される。次いで、その状態でサイドモール３１を下方にずらす。突起２１，２２に対して係止部６１，６２のフック７２，８２が上方から各々係止する。これにより、右側面２Ｂにおける取付部３５の上部と下部の位置が夫々決まるので、サイドモール３１を右側面２Ｂに対して傾くことなく正常な姿勢で取り付けることができる。フック７２，７３が突起２１，２２に各々係止したことは、手の感覚で直感的に認識できるので、サイドモール３１を右側面２Ｂに確実に取り付けることができる。従って、作業者は、右側面２Ｂに対して、サイドモール３１を簡単かつ確実に取り付けることができる。
【００７４】
また、上記実施形態ではさらに、挿入部２４は、突起２１，２２の中間位置よりも上方にずれた位置に設けられている。よって、延設部５１をスリット２６に挿入する際に、係止部６１，６２を右側面２Ｂに設けられた突起２１，２２の上方を通過させることができる。これにより、係止部６１，６２が突起２１，２２に衝突しないので、延設部５１をスリット２６に対して簡単に挿入できる。
【００７５】
また、上記実施形態ではさらに、挿入部２４は、器具本体２の前後方向において、突起２１，２２よりも前方に設けられているので、サイドモール３１を後方にスライドさせた場合、係止部６１，６２が突起２１，２２に達する前に、延設片５１をスリット２６に挿入させることができる。これにより、サイドモール３１が後方にガイドされるので、サイドモール３１を器具本体２の右側面２Ｂに容易に取り付けることができる。
【００７６】
また、上記実施形態ではさらに、延設部５１の先端部５１側がスリット２６に挿入されると、サイドモール３１の後端部４３が突起２１，２２に衝突し、さらに、凹部４４の内側に入り込んだ挿入部２４が段部４８，４９に衝突する。これによって、サイドモール３１の移動が規制され、サイドモール３１の前後方向の位置が決まる。サイドモール３１の移動が規制された状態では、フック７２，７３の下方に、突起２１，２２が夫々位置している。この状態から下方にそのままずらすだけで、フック７２，７３を突起２１，２２に対して容易に係止させることができる。
【００７７】
また、上記実施形態ではさらに、延設部５１は、先端部５１Ｂよりも幅方向長さが短い首部５１Ａを備えているので、作業者が延設部５１をスリット２６に挿入させていくと、先端側５１Ｂがスリット２６を通過し且つ首部５１Ａがスリット２６に達した時に、サイドモール３１全体が下方にずれる。これにより、突起２１，２２に対して係止部６１，６２の各フック７２，７３を上方から各々係止させることができる。従って、サイドモール３１を器具本体２の右側面２Ｂに簡単に取り付けることができる。
【００７８】
また、上記実施形態ではさらに、延設部５１の先端部５２Ｂの角部５４，５５はテーパ状に形成されている。先端部５２Ｂの角部５５が挿入部２４のスリット２６の下縁部に衝突した場合、延設部５１は、テーパ状の角部５５によってスリット２６の下縁部を乗り越えるので、スリット２６に対して延設部５１を挿入させることができる。
【００７９】
また、上記実施形態ではさらに、開口部１０３の上端部と、器具本体２の前面４Ａの上端部との間には、所定の隙間Ｑが形成されているので、その隙間Ｑを利用することで、サイドモール３１を所定位置で、取付面３８を器具本体２の右側面２Ｂに押し当てることができる。
【００８０】
また、上記実施形態ではさらに、係止部６１は、先端部６１Ｂ側の上部と下部に、フック７１，７２を夫々備えている。さらに、係止部６２も、先端部６２Ｂ側の上部と下部に、フック８１，８２を夫々備えている。従って、サイドモール３１を上下反転させることによって、器具本体２の反対側の左側面２Ｃに取り付けるサイドモール３２として使用することもできる。これにより、サイドモール３１，３２を同一部品として使用できる。サイドモール３１，３２は同一部品であるので、量産し易い上に、取り付け間違いを防止できる。
【００８１】
また、上記実施形態ではさらに、係止部６１の先端部６１Ｂの角部７３，７４はテーパ状に形成されている。係止部６２の先端部６２Ｂの角部８３，８４もテーパ状に形成されている。これにより、例えば、先端部６１Ｂの角部７４が突起２１に衝突した場合、テーパ状の角部７４に沿って突起２１が摺動し、係止部６１は突起２１を乗り越えるので、突起２１に対して上方からフック７２を係止させることができる。
【００８２】
また、上記実施形態ではさらに、サイドモール３１，３２は樹脂部材又はアルミ部材で形成することができる。サイドモール３１，３２は撓みを利用して右側面２Ｂに強固に固定するものではないので、比較的柔らかい樹脂でなくても、アルミ部材で形成することも可能である。
【００８３】
なお、本発明は上記実施形態に限定されるものではなく、種々の変更が可能である。例えば、上記実施形態では、サイドモール３１の延設部５１を右側面２Ｂに保持する為に、右側面２Ｂに挿入部２４と突出部２５を設け、挿入部２４のスリット２６に挿入された延設部５１の先端部５１Ｂ側を突出部２５に乗り上げさせることによって、延設部５１を右側面２Ｂから離間する方向に弾性変形させて保持しているが、これ以外の構造で、延設部５１を保持するようにしてもよい。但し、延設部５１が保持された状態でサイドモール３１を下方にずらすことが必要である。従って、例えば、延設部５１の先端部５１Ｂに係合部を設け、右側面２Ｂに被係合部を設け、これらを係合させる構造にしるならば、係合部及び被係合部をサイドモール３１，３２の長手方向に延出する形状にするのがよい。
【００８４】
また、上記実施形態では、サイドモール３１，３２を樹脂で成型しているが、アルミ部材で成型してもよい。また、撓み性がある材質であれば、材質の種類はいかなるものでもよい。
【００８５】
また、上記実施形態では、延設部５１をＴ字の板状に形成しているが、幅方向長さが一定である直線（細長長方形）の板状にしてもよい。
【００８６】
また、上記実施形態では、挿入部２４は、器具本体２の前後方向において、突起２１，２２よりも前方に設けることによって、係止部６１，６２が突起２１，２２に達する前に、延設部５１をスリット２６に挿入させているが、例えば、サイドモール３１において、延設部５１の長さを係止部６１，６２よりも長くすることによっても可能である。この場合、挿入部２４は、器具本体２の前後方向において、突起２１，２２と同位置に設ければよい。
【符号の説明】
【００８７】
１    コンロ
２    器具本体
２Ｂ  右側面
２１，２２  突起
２４    挿入部
２５    突出部
２６    スリット
３１，３２  サイドモール
３５    取付部
３６    閉塞部
３８    取付面
４３    後端部
４４    凹部
５１    延設部
５１Ａ  首部
５１Ｂ  先端部
５４，５５  角部
５６    下端部
５９，６０  凹部
６１，６２  係止部
７１，７２  フック
７３，７４  角部
８１，８２  フック
８３，８４  角部
Ｑ    所定隙間
１０１    キッチンカウンタ
１０１Ａ  上面
１０１Ｂ  前面
１０２    取付開口
１０３    開口部
【図１】
2014145545.tif 000003
【図２】
2014145545.tif 000004
【図３】
2014145545.tif 000005
【図４】
2014145545.tif 000006
【図５】
2014145545.tif 000007
【図６】
2014145545.tif 000008
【図７】
2014145545.tif 000009
【図８】
2014145545.tif 000010
【図９】
2014145545.tif 000011